(57)【要約】【課題】  タッチローラに進入するウエブの進入方向を改善してタッチローラとタッチローラに進入するウエブとの間の空気の進入を防止し、タッチローラ上のウエブとの空気溜をなくして巻取ロールに良品を高速で巻取るようにする。【解決手段】  巻取軸に巻かれた巻取ロール２外周面のウエブ進入位置にタッチローラ１を圧接して設けたウエブ巻取装置において、前記巻取ロール外周面に圧接するタッチローラに圧接して、タッチローラ上流側のガイドローラ６よりタッチローラ１の表面に進入するウエブＷを所要範囲、好ましくはその外周の略１／４にわたり密着してタッチローラ表面にウエブを進入させ密着させるニップローラ７を設けた。【選択図】    図１
2012035928.tif 000002
【特許請求の範囲】
【請求項１】
巻取軸に巻かれた巻取ロール外周面のウエブ進入位置にタッチローラを圧接して設けたウエブ巻取装置において、タッチローラ上流側のガイドローラよりタッチローラ表面に進入するウエブを所要範囲にわたり密着してタッチローラ表面にウエブを進入させ、密着させるニップローラを前記タッチローラに圧接して設けたことを特徴とするウエブ巻取装置におけるタッチローラニップ装置。
【請求項２】
ウエブをニップローラ外周の略１／４の範囲にわたり密着させる請求項１記載のウエブ巻取装置におけるッチローラニップ装置。
【請求項３】
タッチローラに進入するウエブの張力とタッチローラと巻取ローラの接線に働く張力の中間位置にタッチローラ装置の支点を設ける請求項１又は２記載のウエブ巻取装置におけるタッチローラニップ装置。
【発明の詳細な説明】
【技術分野】
【０００１】
本発明はプラスチックフィルムなど（以下、ウエブという）を巻取る巻取装置において、タッチローラと、タッチローラ表面に進入するウエブとの間の空気の進入を防止するために好適なタッチローラニップ装置に関するものである。
【背景技術】
【０００２】
連続したウエブを皺やずれがなく、かつ適当な硬度でロール状に巻き取る場合、巻取ロールの外周面と、巻取ロールに進入するウエブとの間に空気が巻き込まれるので、この空気の巻き込まれる量を調整するために図６に示す如くタッチローラ１１を巻取ロール１２の表面でウエブＷが進入する位置に設け、接圧用シリンダー１３によりタッチローラアーム１４を回動支点１５により揺動させてタッチローラの巻取ロールに接する圧力を調整し、最適な巻取ロールを得るようにしている（例えば特許文献１参照）
しかし、ウエブの進入に伴い、タッチローラに進入するウエブとタッチローラとの間に空気が進入し、図６（ロ）に示す如く巻取ロールとタッチローラの圧接によって進入した空気が溜まる。そしてこの空気溜が大きくなれば巻取ロールとタッチローラの圧接する隙間からランダムに流れ出し巻取ロールに圧接するタッチローラの均等な接圧が出来なくなり、巻取ロールに皺などが生ずる。
【０００３】
そこで、タッチローラの中央付近に分割バックアップロールを配して巻取ロールへの均一なニップ力を得ることが提案され、更に分割バックアップロールのタッチローラ中央付近への部分的な押圧によりその接触部分が摩耗したり、傷ついてニップ力の不均一を生じる難があったため、タッチローラと分割バックアップロールの間に更に別のバックアップロールを配することも提案されている。（例えば特許文献２参照）
しかし、上記提案に係る構成ではバックアップロールはタッチローラの全幅にわたって配されているためロール同士の接触面積が増加することから回転抵抗が増し、ごく薄いシートやフィルムを巻き取る場合には過大な張力がシートに付与される可能性が高く、皺などが発生し易い問題があった。
【０００４】
特にＢＯＰＰ，ＢＯＰＥＴ，ＰＩ等の極薄フィルム（２〜５μｍ）等の巻き取りにおいて張力を低く、また巻硬を柔らかく、かつ皺なく、高速で巻取ることは極めて困難であった。
【先行技術文献】
【特許文献】
【０００５】
【特許文献１】特開２００２−２４０９９３号公報
【特許文献２】特開平５−９７２６５号公報
【発明の概要】
【発明が解決しようとする課題】
【０００６】
本発明は上述の如き実状に鑑み、その改善を図るべく、タッチローラにニップローラを付設し、ウエブの進入方向を改善することによりタッチローラに進入するウエブを挟んで、空気の進入を防止すると共に、ウエブを均一にニップし、タッチローラにウエブが空気溜なく接触し、ウエブを安定して高速で巻取ることを可能ならしめることを目的とするものである。
【課題を解決するための手段】
【０００７】
即ち、上記目的に適合する本発明は、巻取軸に巻かれた巻取ロール外周面のウエブ進入位置にタッチローラを圧接して設けたウエブ巻取装置において、タッチローラの上流側のガイドローラよりタッチローラ表面に進入するウエブをその外周所要範囲にわたり密着してタッチローラ表面にウエブを進入させ、密着させるニップローラを前記タッチローラに圧接して設けたことを特徴とする。
【０００８】
なお、上記構成においてニップローラの位置は固定されないが、ウエブを所要の範囲、好ましくはニップローラ外周の略１／４の範囲にわたり密着してタッチローラ表面にウエブを密着させる如くタッチローラに圧接して設けることが好ましい。またタッチローラに進入するウエブの張力とタッチローラと巻取ローラの接線に働く張力の中間位置にタッチローラ装置の支点を設けることが好適である。
【発明の効果】
【０００９】
本発明装置は上記の如くタッチローラに進入するウエブをタッチローラ表面に密着させるニップローラをウエブを所要範囲にわたり該ローラに密着せしめてタッチローラに進入せしめるよう設けたことによりタッチローラとタッチローラ表面に進入するウエブとの間に空気の進入するのを防止することができると共にウエブをニップするためタッチローラにウエブが空気溜なく接触し、タッチローラ表面とウエブの間のすべりがなく、安定して巻取ロールにウエブを巻取ることができ、特に極薄フィルムの巻取りにおいても張力を低く、巻硬を柔らかく、しかも皺なく良品を高速で巻取ることができる効果を有している。
【００１０】
なお、本発明はフィルムの厚みが薄くなればなる程、従来から巻取速度を上げることしかできなかった分野を大巾に改善することが出来る。
【図面の簡単な説明】
【００１１】
【図１】本発明に係る装置の１例を示す概要図である。
【図２】本発明に係る装置の他の形態を示す概要図である。
【図３】ニップローラによる巻取り張力と接圧の関係を示す説明図である。
【図４】（イ），（ロ），（ハ），（ニ）はニップローラの位置によるウエブ進入態様を示す説明図である。
【図５】ニップローラとウエブ進入位置による空気溜生成況を示す説明図である。
【図６】従来のタッチローラ装置の１例を示し、（イ）は概要図、（ロ）はタッチローラ装置のエアかみ状況を示す説明図である。
【発明を実施するための形態】
【００１２】
以下、更に添付図面を参照し、本発明の具体的態様を説明する。図１は本発明に係るタッチローラニップ装置の１例であり、図において、１は巻取ロール２に圧接されるタッチローラであり、既知の如く巻取ロール２の表面で上流側のガイドローラ６を介し、ウエブＷが進入する位置に設けられ、接圧用シリンダー３によりタッチローラアーム４を回動支点５により揺動させてタッチローラ１の巻取ロール２に接する圧力を調整せしめている。
【００１３】
しかして、本発明は上記構成においてタッチローラ１に上流側のガイドローラ６より該タッチローラ１表面に進入するウエブＷに対しタッチローラ１に圧接してタッチローラ表面にウエブＷを密着させるニップローラ７が設けられている。このニップローラ７は図２に示す如く、好ましくは支点５′をもつ圧接用シリンダー８によりタッチローラ１に押圧され、ガイドローラ６よりタッチローラ１に至るウエブＷを所要範囲添接し密着してタッチローラ１にウエブＷを挟んで進入せしめるようになっている。従って、タッチローラ１と進入するウエブＷとの間にエアーの進入を防止することができると共にウエブをニップするためタッチローラ１にウエブＷが空気溜なく接触しタッチローラ表面とウエブの滑りをなくしている。そのためニップローラ７はウエブの進入に際し少なくとも適宜範囲にわたってウエブＷを密着させて、タッチローラ表面に進入するウエブをニップすることが好ましく、少なくともニップローラ７外周の１／４周にわたりウエブが添接し、密着されることが好適である。
【００１４】
更にこの場合、タッチローラ１の支点位置も関連があり、図３に示す如く、タッチローラ１に進入するウエブＷの張力をＴ1，タッチローラ１と巻取ロール２接線に働く張力をＴ2とするとき、Ｔ1とＴ2の中間位置にタッチローラ１の支点を設けることにより、ウエブの張力Ｔ1とＴ2の反力はタッチローラ１の支点に働き、結果としてタッチローラ１による巻取ロール２の接圧に関係しない。
【００１５】
なお、ニップローラ７の位置は固定ではなく、適宜変えることが可能であるが、ニップローラ７とタッチローラ１におけるウエブ進入態様が重要であり、図４に示すようにニップローラ７をタッチローラ１の上部又は側部に配置することができるが、（イ）（ロ）の如く所要の範囲にわたりウエブがニップローラ７に密着して進入されるときは空気の進入を防止し得る効果があるが、（ハ）の如くタッチローラ１とニップローラ７の接点にウエブＷを進入することは、ウエブＷにしわが発生することがあり、また、（ニ）ではタッチローラ１上のニップローラ７前にエアー溜が生じ、しわが生ずることがあるので好ましくない。
これはまた、図５の（イ）の場合の如くニップローラ７がタッチローラ１に接点部でのみ接して、ウエブが該接点部を通じて進入される場合は該接点にウエブが進入するタッチローラ側のニップローラ前部に空気溜ａが出来て、この空気がニップローラ７の後まで流れて巻取ロール２の手前にも空気溜ａが出来る。
【００１６】
これに対し（ロ）図に示す如くニップローラ７にその外周の略１／４周にわたり密着してタッチローラにウエブＷを進入させるときは、空気は進入しようとするが、タッチローラ１とニップローラによる進入位置はニップされて空気溜は生ぜず、タッチローラ表面とウエブの間には空気が入ることはない。従って、タッチローラに対するニップローラの位置に多少の変化はあるとしともタッチローラに対しウエブが進入する前にニップローラに対し所定の範囲、密着させることが肝要で、好ましくはニップローラ外周の略１／４程度密着せしめるようにする。
【００１７】
以上のようにタッチローラに対しそのウエブ進入位置にニップローラを設けて、ウエブをニップローラに所要の範囲密着せしめた後、タッチローラに該ウエブを密着せしめて巻取ロールに送るときは空気溜を生じることがなく、タッチローラ表面とウエブのすべりもなく安定してウエブを巻き取ることができる。
【符号の説明】
【００１８】
Ｗ：ウエブ
１：タッチローラ
２：巻取ロール
３：タッチローラ接圧用シリンダー
４：揺動杆
５：回動支点
６：ガイドローラ
７：ニップローラ
８：ニップローラ圧接用エアーシリンダー
ａ：空気溜
【図１】
2012035928.tif 000003
【図２】
2012035928.tif 000004
【図３】
2012035928.tif 000005
【図４】
2012035928.tif 000006
【図５】
2012035928.tif 000007
【図６】
2012035928.tif 000008